(57)【要約】      （修正有）【課題】簡単な機構にして、地震などの震動に対する両開き扉の開放を確実に防止して収容物の飛び出しによる破損や怪我等を未然に防止する両開き扉開放防止具を提供する。【解決手段】両サイドを開閉軸にし開放側の各々に開閉用の引き手を取り付けた両開き扉１０３、１０４を前面に有する収納庫において、両開き扉１０３、１０４の開閉用の両方の引き手１０１、１０２に掛ける両開き扉開放防止具であって、両開き開放防止具は、両開き扉１０３、１０４の引き手１０１、１０２に巻き付ける連結帯２０１を有し、連結帯２０１の一方側にロックボタン２０２を取り付け、連結帯２０１の他方側にロックボタン２０２を縦にして通すボタン孔２０３を形成した。【選択図】図５
0003230087.tif 000002
【実用新案登録請求の範囲】
【請求項１】
両サイドを開閉軸にし、開放側の各々に開閉用の引き手を取り付けた両開き扉を前面に有する収納庫において、前記両開き扉の開閉用の両方の引き手に掛ける両開き扉開放防止具を設け、前記両開き開放防止具は、前記両開き扉の引き手に巻きつける連結帯を有し、前記連結帯の一方側にロックボタンを取り付け前記連結帯の他方側に前記ロックボタンを縦にして通すボタン孔を形成したことを特徴とする両開き扉開放防止具。
【考案の詳細な説明】
【技術分野】
【０００１】  本考案は、家具などの収納庫の両開き扉が地震などによる震動によって開くことを防止して収容物が飛び出しその散乱や破損を未然に防止する収納庫の両開き扉開放防止具に関する。
【背景技術】
【０００２】  従来の扉開閉装置は、特許文献１から特許文献６等で紹介されているがいずれも複雑な機構で取付が困難であり且つ費用が嵩む。
例えば特許文献１から特許文献６に記載の扉開閉装置は、収納庫本体に取り付ける感震部と、収納庫本体の扉に取り付ける受け部とを有し、感震部が、上下に移動可能なフランジシャフトと、フランジシャフトの上面に形成されるフランジ面と、フランジシャフトの下部に形成されるシャフトと、転動可能な球体と、フランジシャフトおよび球体を収容するケースとからなり、ケースには、シャフトが上下方向に移動できる貫通孔を有し、地震などによる震動時には、貫通孔から下方に突出したシャフトが受け部に当接することで扉の開動作を阻止する扉開閉装置が開示されている。
また、特許文献７では、収納庫本体に取り付ける感震部と、収納庫本体の扉に取り付ける受け部とを有し、感震部が、上下に移動可能なフランジシャフトと、フランジシャフトの上面に形成されるフランジ面と、フランジシャフトの下部に形成されるシャフトと、フランジ面に載置される球体と、フランジ面の上方に配置されるガイド部材と、フランジシャフト、球体、およびガイド部材を収容するケースとからなり、ケースには、シャフトが上下方向に移動できる貫通孔を有し、地震などによる震動時には、貫通孔から下方に突出したシャフトが受け部に当接することで扉の開動作を阻止する扉開閉装置が開示されている。
【先行技術文献】
【特許文献】
【０００３】
【特許文献１】特許第３４８２４３７号公報
【特許文献２】特許第５４５８４５８号公報
【特許文献３】特開２００２−２１４０７号公報
【特許文献４】特開２００２−２１４０８号公報
【特許文献５】特開２０００−３２０２２５号公報
【特許文献６】特開平１０−３２５８７９号公報
【特許文献７】特開２００８−２８４２０９号公報
【考案の概要】
【考案が解決しようとする課題】
【０００４】  このように特許文献１から特許文献７に記載の扉開閉装置は、いずれも、フランジの下方に球体を挟み込み、震動によって球体がフランジから外れるとシャフトが下方に移動して受け部に当接することで扉の開動作を阻止する複雑な機構のものである。
更に加えて特許文献１から特許文献７に記載の扉開閉装置は、震動を検知する球体にはフランジおよびシャフトの荷重が加わり、フランジおよびシャフトが球体を押さえているため、球体が動きにくく、震動に対する感度が低下してしまう問題がある。
【考案の概要】
【考案が解決しようとする課題】
【０００４】  本考案は、前記のように球体にフランジやシャフトを用いた複雑な機構を設けることなく、簡単な機構にして、地震などの震動に対する両開き扉の開放を確実に防止する両開き扉開放防止具を提供する。
【課題を解決するための手段】
【０００５】  上記課題を満足させる本考案における主な技術構成は、次の（１）の通りである。
（１）、両サイドを開閉軸にし開放側の各々に開閉用の引き手を取り付けた両開き扉を前面に有する収納庫において、前記両開き扉の開閉用の両方の引き手に掛ける両開き扉開放防止具を設け、前記両開き開放防止具は、前記両開き扉の引き手に巻きつける連結帯を有し、前記連結帯の一方側にロックボタンを取り付け前記連結帯の他方側に前記ロックボタンを縦にして通すボタン孔を形成したことを特徴とする両開き扉開放防止具。
本考案において、前記連結帯を両開き扉の引き手に巻きつけるとは、両方の引き手に一重又は多重に巻き付けたり、一方の引き手に結び巻き付けておき扉開閉の際はそのまま下げておき、扉を長時間閉止しておくときは他方の引き手に通して巻きつけることを等を言う。
【考案の効果】
【０００６】  本考案の両開き扉開放防止具は、前記の如く「収納庫の前記両開き扉の両方又は片方の引き手に巻き付ける連結帯を有し、前記連結帯の一方側にロックボタンを取り付け前記連結帯の他方側に前記ロックボタンを縦にして通すボタン孔を形成した」極めて簡単な構成にしたものである。
前記両開き扉開放防止具は、前記の如く、連結帯を前記両開き扉の引き手に巻き付けて両方の引き手を結束し、次いでロックボタンをボタン孔に通して置くだけで該引き手の連結状態を保持して、地震などの震動による両開き扉の開放を確実に防止して収容物が飛び出しその散乱や破損を未然に防止するのである。
前記連結帯は、好ましくは厚手の布地、革製や合成樹脂製等のベルトで形成し、ロックボタンは、中央部を前記連結帯に連結し直径をボタン孔の長さにして縦に通過可能にする。
ボタン孔は、単数個又は複数個を配列しておき、連結帯で両方の引き手に巻き付けて結束してもロックボタンを嵌めることが可能な位置にしておく。
【図面の簡単な説明】
【０００７】
【図１】本考案の両開き扉開放防止具の実施例を示す収納庫の正面図である。
【図２】扉開放防止具の展開図である。
【図３】図２に示す両開き扉開放防止具を収納庫の前記両開き扉の両方の引き手に掛ける順において、扉開放防止具の前記連結帯を両方の引き手に通した状態を示す。
【図４】図３に示す状態の記連結帯を更に両方の引き手に二重に通した状態を示す。
【図５】図４に示す状態からロックボタンをボタン孔に嵌めた状態を示す。
【図６】図４に示す例の変形例を示す例であり、連結帯２０１を予め片方の引き手１０１に結び巻きして置いて常設の状態にする例である。
【図７】図６に示す状態からロックボタンをボタン孔に嵌めた状態を示す。
【考案を実施するための形態】
【０００８】図１において、収納庫１００は、両サイドを開閉軸にし開放側の各々に開閉用の引き手１０１、１０２を取り付けた両開き扉１０３，１０４を前面に有する。
前記両開き扉１０３，１０４の開閉用の両方の引き手１０１、１０２には図２に示す常用の両開き扉開放防止具２００を設ける。
図２において、前記両開き扉開放防止具２００は、前記両開き扉１０３，１０４の両方の引き手１０１、１０２に通して掛ける連結帯２０１を有し、前記連結帯２０１の一方側にロックボタン２０２を取り付け前記連結帯２０１の他方側に前記ロックボタン２０２を縦にして通すボタン孔２０３を形成したものである。
【０００８】  前記両開き扉開放防止具２００は、前記両開き扉１０３，１０４の両方の引き手１０１、１０２に図３〜図５に示す順に取り付けて、地震などの震動による両開き扉１０３，１０４の開放を確実に防止して、収納庫内の収容物が庫外に飛び出すことを防止する。
図３は、両開き扉開放防止具２００の前記連結帯２０１を両方の引き手１０１、１０２に通した状態を示し、図４は前記連結帯２０１を更に両方の引き手に二重に通した状態を示し、図４の状態からロックボタン２０２をボタン孔２０３に嵌めた状態を図５に示す。
図６は図４に示す例の変形例を示す例であり、連結帯２０１を予め片方の引き手１０１に結んで置いて常設の状態にする例であり、この状態から両開き扉１０３，１０４を長時間閉めておくときは図７に示すようにロックボタン２０２をボタン孔２０３に嵌めて地震対策状態にしておくのである。
本実施例は、あくまでも一例であり、本考案はこの例から想定されるあらゆるアレンジ例を含むものであり本実施例に限定されないことは勿論である。
【産業上の利用可能性】
【００１１】  本考案は、前述の優れた作用効果を呈して一般家庭では勿論、収納庫等の家具製造産業に寄与と発展に貢献すること多大なものがある。
【符号の説明】
【００１２】１００：収納庫
１０１、１０２：引き手
１０３，１０４：両開き扉
２００：両開き扉開放防止具
２０１：連結帯
２０２：ロックボタン
２０３：ボタン孔
【図１】
0003230087.tif 000003
【図２】
0003230087.tif 000004
【図３】
0003230087.tif 000005
【図４】
0003230087.tif 000006
【図５】
0003230087.tif 000007
【図６】
0003230087.tif 000008
【図７】
0003230087.tif 000009